(57)【要約】  本発明は、ユーザーインターフェイスコンポーネントを有する電子装置によって入力を受信する方法に関するものである。ユーザーインターフェイスコンポーネントの使用を実質的に非アクティブにするために、ユーザーインターフェイスコンポーネントをキーパッドロッキングモード又はスクリーンセーバーモードなどの非アクティブ動作モードに設定する。入力を待機モードにおいて受信する。待機動作モードにおいて受信した入力を保存し、ユーザーインターフェイスコンポーネント上において提示可能である。
2008515039.tif 000002
【特許請求の範囲】
【請求項１】
ユーザーインターフェイスコンポーネントと、前記ユーザーインターフェイスコンポーネントの使用が非アクティブであるか又は制限される際に適用される非アクティブ動作モードに前記ユーザインターフェイスコンポーネントを設定する手段と、を有する電子装置であって、非アクティブモードにおいて入力を受信するべく構成された電子装置において、
前記非アクティブ動作モードにおいて入力を保存するべく構成されており、且つ、
前記保存された入力用のアクションを実行するべく構成されていることを特徴とする装置。
【請求項２】
前記電子装置のユーザーインターフェイスコンポーネント内において前記入力を提示するべく構成されていることを特徴とする請求項１記載の装置。
【請求項３】
前記入力エリア内の前記入力を表すデータが供給されるアプリケーションを起動するべく構成されていることを特徴とする請求項１又は２記載の装置。
【請求項４】
前記入力エリア内の前記入力のタイプを判定するべく構成されていることを特徴とする請求項１〜３のいずれか一項記載の装置。
【請求項５】
前記入力の検出されたタイプに基づいて、前記入力を処理するための適切なアプリケーションを選択するべく構成されており、
前記選択されたアプリケーションを起動すると共に／又は、前記入力を表すデータを前記選択されたアプリケーションに提出するべく構成されていることを特徴とする請求項４記載の装置。
【請求項６】
前記非アクティブモードからの離脱に応答し、前記入力用の更なるアクションを実行するべく構成されていることを特徴とする請求項１〜５のいずれか一項記載の装置。
【請求項７】
前記非アクティブ動作モードにおいて、ワープロアプリケーション、電話帳又はその他のコンタクト管理アプリケーション、ノートパッドアプリケーション、カレンダーアプリケーション、メッセージングアプリケーション、描画アプリケーション、又はスプレッドシートアプリケーションの中の少なくとも１つのもの用のデータを受信するべく構成されていることを特徴とする請求項１〜６のいずれか一項記載の装置。
【請求項８】
画面と、スクリーンセーバー機能と、を有しており、
前記スクリーンセーバーが起動された際に、前記画面を前記非アクティブ動作モードに設定するための手段を有することを特徴とする請求項１〜７のいずれか一項記載の装置。
【請求項９】
キーパッドと、キーパッドロッキング機能と、を有しており、
前記キーパッドロックが起動された際に、前記キーパッドを前記非アクティブ動作モードに設定するための手段を有することを特徴とする請求項１〜８のいずれか一項記載の装置。
【請求項１０】
前記ユーザーインターフェイスコンポーネントが非アクティブ動作モードに設定された際に、前記画面上に入力エリアを提供するべく構成されており、
前記入力エリア内において前記ユーザーからの前記入力を受信するべく構成されており、且つ、
前記入力を表すデータを保存すると共に／又は、前記入力エリア内において前記入力を表示するべく構成されていることを特徴とする請求項１〜９のいずれか一項記載の装置。
【請求項１１】
前記画面は、タッチスクリーンであり、
前記入力エリア内における検出された接触点に基づいて、前記入力エリア内における前記入力を判定するべく構成されていることを特徴とする請求項１０記載の装置。
【請求項１２】
前記装置が前記非アクティブ動作モードにある際にユーザーからの既定の起動入力が受信された場合に、入力を受信して前記入力受信手段の実行を起動するか、又は入力を前記非アクティブ動作モードにおける適切な入力として検出するべく構成されていることを特徴とする請求項１〜１１のいずれか一項記載の装置。
【請求項１３】
前記データ処理装置は、前記入力に関する１つ又は複数の更なるアクションをユーザーに対して要求するべく構成されており、
前記データ処理装置は、前記ユーザーからの命令に従って前記入力を処理するべく構成されていることを特徴とする請求項１〜１２のいずれか一項記載の装置。
【請求項１４】
ユーザーインターフェイスコンポーネントを有する電子装置によって入力を受信する方法において、
前記ユーザーインターフェイスコンポーネントの使用を非アクティブとするか又は制限するための非アクティブ動作モードに前記ユーザーインターフェイスコンポーネントを設定する段階と、
前記非アクティブモードにおいて入力を受信する段階と、
を有しており、
前記非アクティブ動作モードにおいて入力を保存する段階と、
前記保存された入力用のアクションを実行する段階と、
を特徴とする方法。
【請求項１５】
前記電子装置のユーザーインターフェイスコンポーネント内において前記入力を提示する段階を特徴とする請求項１４記載の方法。
【請求項１６】
前記入力エリア内の前記入力を表すデータが供給されるアプリケーションを起動する段階を特徴とする請求項１４又は１５記載の方法。
【請求項１７】
前記入力に関する１つ又は複数の更なるアクションをユーザーに対して要求する段階と、
前記ユーザーからの命令に従って前記入力を処理する段階と、
を特徴とする請求項１４〜１６のいずれか一項記載の方法。
【請求項１８】
スクリーンセーバーが起動された際に画面を前記非アクティブ動作モードに設定する段階と、
前記スクリーンセーバーが有効である際に前記入力を受信する段階と、
を特徴とする請求項１４〜１７のいずれか一項記載の方法。
【請求項１９】
キーパッドロックが起動された際に、キーパッドを前記非アクティブ動作モードに設定する段階と、
前記キーパッドロックが起動されている際に前記入力を受信する段階と、
を特徴とする請求項１４〜１８のいずれか一項記載の方法。
【請求項２０】
前記ユーザーインターフェイスコンポーネントが非アクティブ動作モードに設定された際に画面内に入力エリアを提供する段階と、
前記入力エリア内において前記ユーザーからの前記入力を受信する段階と、
前記入力を表すデータを保存すると共に／又は、前記入力エリア内において前記入力を表示する段階と、
を特徴とする請求項１４〜１９のいずれか一項記載の方法。
【請求項２１】
ユーザーインターフェイスコンポーネントと、前記ユーザーインターフェイスコンポーネントを非アクティブ動作モードに設定する手段と、を有するデータ処理装置のメモリ内にダウンロード可能であり、且つ、前記データ処理装置のプロセッサ内において実行可能であるコンピュータプログラムにおいて、
前記データ処理装置を制御して入力を前記非アクティブ動作モードにおいて保存するプログラムコード部分と、
前記データ処理を制御して前記保存されている入力用のアクションを実行するプログラムコード部分と、
を有することを特徴とするコンピュータプログラム。
【請求項２２】
ユーザーインターフェイスコンポーネントと、前記ユーザーインターフェイスコンポーネントを非アクティブ動作モードに設定する手段と、を有するデータ処理装置のメモリ内にダウンロード可能であり、且つ、前記データ処理装置のプロセッサ内において実行可能であるコンピュータプログラムプロダクトにおいて、
前記データ処理装置を制御して入力を前記非アクティブ動作モードにおいて保存するプログラムコード部分と、
前記データ処理装置を制御して前記保存されている入力用のアクションを実行するプログラムコード部分と、
を有することを特徴とするコンピュータプログラムプロダクト。
【発明の詳細な説明】
【技術分野】
【０００１】
本発明は、電子装置のユーザーからの入力を受信するソリューションに関するものであり、更に詳しくは、例えば、スクリーンセーバー機能が有効であるか又はキーパッドロックがオン状態にあるなど、電子装置のユーザーインターフェイスコンポーネントが非アクティブモード（ｉｎａｃｔｉｖｅ  ｍｏｄｅ）にある際の入力の受信に関するものである。
【背景技術】
【０００２】
従来のコンピュータにおいて使用されている様々なスクリーンセーバーアプリケーションが周知である。これらのスクリーンセーバーは、通常、既定のアイドル期間の後に起動され、電力を節約すると共に、ＣＲＴ画面が使用されている際に焼き付きを回避するべく機能している。
【０００３】
携帯電話機やＰＤＡ（Ｐｅｒｓｏｎａｌ  Ｄｉｇｉｔａｌ  Ａｓｓｉｓｔａｎｔ）装置などの携帯型の電子装置にもスクリーンセーバーアプリケーションが提供されており、これにより、電池電力を節約可能である。スクリーンセーバーモードにおいては、例えば、現在時刻が表示される。米国特許出願公開第２００３／０１６９３０６号は、更に高度なスクリーンセーバーを開示しており、この場合には、スクリーンセーバーモードにおいて、様々なアプリケーションのハンドルを表示可能である。ユーザーがハンドルを選択すると、その個別のアプリケーションがスクリーンセーバーモードにおいて実行され、アプリケーションによって生成された画像が画面上に表示される。例えば、スクリーンセーバーモードにおいて、ユーザーは、気象アプリケーションのハンドルを選択可能であり、この結果、気象情報が画面上に表示されることになる。
【０００４】
キーパッドロックは、非アクティブな用法における別の典型的なユーザーインターフェイスモードであり、通常は、これにより、携帯型装置内における望ましくないキーパッド入力を回避可能である。キーパッドロックは、自動的に又はユーザーによって起動可能であり、スクリーンセーバー機能と共に同時に適用可能である。
【０００５】
ユーザーは、突然メモをとることが必要な状況に直面する場合がある。しかしながら、迅速にメモをとることは必ずしも容易なことではない。通常、ユーザーがメモをとろうとする際には、ユーザーは、キーの打鍵によってスクリーンセーバーモード及び／又はキーパッドロックから離脱し、メニューに進み、適切なアプリケーション（例えば、ノートパッド）を選択し、そのアプリケーションを起動する必要がある。アプリケーションの起動が完了した後に、初めて、ユーザーはメモをとることができる。特に、ユーザーが移動中である場合には、この手順は、あまりユーザーフレンドリではなく、且つ、迅速でもない。
【発明の開示】
【０００６】
従って、本発明の目的は、前述の問題の回避又は少なくとも軽減を実現する方法と、この方法を実装した装置と、を提供することにある。本発明のこの目的は、独立請求項に開示されている内容を特徴とした方法、携帯型電子装置、コンピュータプログラム、及びコンピュータプログラムプロダクトによって実現される。本発明のいくつかの実施例は、従属請求項に開示されている。
【０００７】
本発明の一態様によれば、ユーザーインターフェイスコンポーネントと、このユーザーインターフェイスコンポーネントを、ユーザーインターフェイスコンポーネントの使用が非アクティブ又は制限されている際に適用される非アクティブ動作モードに設定する手段と、を有する電子装置は、キーパッドロッキングモードやスクリーンセーバーモードなどの非アクティブ動作モードにおいて入力を保存するべく構成されている。本装置は、保存された入力に対するアクションを実行するべく更に構成されている。
【０００８】
尚、「非アクティブ動作モード」という用語は、広く、例えば、スクリーンセーバーモードやキーパッドロックモードなど、１つ又は複数のユーザーインターフェイスコンポーネントの使用が非アクティブな又は限定される任意のモードを意味している。本発明の構成の利点は、装置のユーザーインターフェイスコンポーネントが非アクティブモードにある場合にも、メモを迅速且つ容易にとることが可能であるという点にある。メモをとることができるようにするべく、キーの打鍵によって非アクティブモードから離脱し、メニューに進み、適切なアプリケーション（例えば、ノートパッド）を選択し、その適切なアプリケーションを起動する必要がなく、非アクティブモードにおいてメモを迅速にとることができる。この結果、携帯型電子装置の有用性が改善される。保存以外にも、非アクティブモードにおいて又は非アクティブモードを離脱した後に、入力に対する更なるアクションを実行可能である。例えば、その入力を別の装置又はアプリケーションに対して転送可能である。本発明の一実施例によれば、本装置は、非アクティブ動作モードにおいて受信された入力をユーザーインターフェイスコンポーネント内に提示するべく構成されている。
【０００９】
本発明の別の実施例によれば、アプリケーションを起動した後に、非アクティブモードにおいて受信した入力を表すデータを、このアプリケーションに供給している。この実施例によれば、アプリケーションによる入力の自動処理が可能であり、非アクティブモードにおいて様々なタイプの情報を入力するべく構成可能である。あるいは、この代わりに、非アクティブモードにおいて、アプリケーション固有の入力のみを用意することも可能である。
【００１０】
本発明の一実施例によれば、ユーザーインターフェイスコンポーネントを非アクティブ動作モードに設定する際に、画面上に入力エリアを設けている。次いで、入力エリアに対するユーザーからの入力を受信し、保存している。この実施例によれば、画面の一部を入力のために使用可能であり、画面のその他の部分は、例えば、スクリーンセーバー機能に使用可能である。
【００１１】
本発明の別の実施例によれば、装置は、装置が非アクティブ動作モードにある際にユーザーからの既定の起動入力を受信した場合に、入力を受信して入力受信手段の実行を起動するか、又は入力を非アクティブ動作モードにおける適切な入力として検出するべく、構成されている。この実施例によれば、例えば、装置がユーザーのポケット内に位置している際などに、望ましくない入力を回避又は少なくとも低減可能である。
【発明を実施するための最良の形態】
【００１２】
以下、いくつかの実施例との関連において、添付の図面を参照し、本発明について更に詳細に説明する。
【００１３】
図１に示されているように、電子装置ＥＤは、メモリＭＥＭ、ユーザーインターフェイス、データ転送を実行する手段Ｉ／Ｏ、及び１つ又は複数のプロセッサを有する処理ユニットＰＵを有している。ＥＤのユーザーインターフェイスは、少なくとも、画面ＳＣと、この実施例においては、キーパッドＫＰと、を有している。メモリＭＥＭ内に保存されているコンピュータプログラムコードをＰＵ内において実行することにより、電子装置ＥＤ内において様々なアプリケーションＡＰＰを実装可能である。
【００１４】
一実施例においては、電子装置ＥＤとの間においてデータを（例えば、無線によって）伝送可能である。従来のトランシーバ、並びに、ネットワーク及び／又はその他のモバイル端末と通信するための機能を電子装置ＥＤ内に包含可能である。例えば、電子装置ＥＤは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＧＰＲＳ（Ｇｅｎｅｒａｌ  Ｐａｃｋｅｔ  Ｒａｄｉｏ  Ｓｅｒｖｉｃｅ）、３ＧＰＰ（３rd  Ｇｅｎｅｒａｔｉｏｎ  Ｐａｒｔｎｅｒｓｈｉｐ  Ｐｒｏｊｅｃｔ）、ＷＬＡＮ（Ｗｉｒｅｌｅｓｓ  Ｌｏｃａｌ  Ａｒｅａ  Ｎｅｔｗｏｒｋ）、及び／又はＢｌｕｅｔｏｏｔｈ（登録商標）規格をサポート可能である。電子装置ＥＤは、ラップトップ、デスクトップコンピュータ、ＰＤＡ装置、移動局、Ｎｏｋｉａ７７００などのメディア装置、或いは、前述の装置用の着脱自在の／携帯型のモジュールなどのデータ処理装置であってよい。
【００１５】
スクリーンセーバー機能は、処理ユニットＰＵ内において実行されるスクリーンセーバープログラムコードにより、電子装置ＥＤ内において実行可能であり、図１には、このようなスクリーンセーバー機能が参照符号ＳＣＳによって表示されている。スクリーンセーバーＳＣＳが起動されると、画面ＳＣが非アクティブ動作モードに設定され、例えば、スクリーンセーバーアイコンが表示される。又、図１の装置ＥＤは、キーパッド（ＫＰ）ロック機能をも有しており、これは、ＫＰＬという参照符号によって表示されている。キーパッドロックＫＰＬを起動することにより、キーパッドが非アクティブ動作モードに設定され、このモードにおいては、装置の使用が非アクティブな際の望ましくないキーパッド入力を回避するべく、非常に限られた数の入力のみ（例えば、緊急通話を起動するためのものやキーパッドをアンロックするためのもの）が受け付けられる。キーパッドロックは、その装置のタイプに応じて、物理的なキーパッド、又は電子装置のタッチスクリーン内に構成されたキーパッドをロック可能であることに留意されたい。
【００１６】
これに相応し、中央処理ユニットＰＵ内において実行されるコンピュータプログラムコードにより、電子装置ＥＤは、例えば、スクリーンセーバーＳＣＳが有効であると共に／又は、キーパッドロックがオン状態にある際など、ユーザーインターフェイスコンポーネントが非アクティブモードにある際のユーザーからの入力の受信に関係した本発明の手段を実装可能である。このような手段のいくつかの実施例が、図２、図３、及び図４と関連して示されている。このコンピュータプログラムは、例えば、ＰＣのハードディスク上又はＣＤ−ＲＯＭディスク上などのメモリ内に保存可能であり、これらから、このプログラムを実行する電子装置ＥＤのメモリＭＥＭ内にダウンロード可能である。又、このコンピュータプログラムは、例えば、ＴＣＰ／ＩＰプロトコルスタックを使用することにより、ネットワークを介してダウンロードすることも可能である。このコンピュータプログラムは、本発明の手段を提供するための特定のアプリケーションであると共に／又は、その他の目的用のソフトウェアを有するソフトウェアパッケージの一部であってもよい。例えば、図３に示されているスクリーンセーバーモードにおいてユーザー入力を実現するソフトウェアは、電子装置ＥＤにダウンロード可能なスクリーンセーバーソフトウェアの一部であってよい。別の例においては、入力を保存すると共に／又は、それらをその他のアプリケーションに転送する特定のアプリケーションにより、非アクティブモードにおける入力を処理している。又、ハードウェアソリューション又はハードウェア及びソフトウェアの組み合わせを使用することにより、本発明の手段を実装することも可能である。
【００１７】
一実施例においては、装置ＥＤの画面ＳＣは、タッチスクリーンである。本方法は、実質的にすべての画面タイプと関連して適用可能ではあるが、タッチスクリーンタイプをそのままの状態で使用するのは、本発明の実装には不適当である。タッチスクリーンの実装は、例えば、電気的な方法、赤外光に基づいた技術、及び音波又は圧力認識に基づいた技術などの技法の中のいずれかに基づいたものであろう。いくつかのタッチスクリーンタイプは、共振回路などの内蔵電子回路を有するスタイラスを必要としている。このような画面の動作には、スタイラスの使用が必要であり、例えば、指でポイントすることによって画面を使用することはできない。この種の画面タイプにおいては、仮想的なスタイラスを使用することも可能である。
【００１８】
図２は、装置ＥＤの少なくとも１つのユーザーインターフェイスコンポーネントが非アクティブ動作モードに設定される際に画面ＳＣ内にユーザー入力エリア２００を設ける一実施例による電子装置ＥＤの画面ビューを示している。図２の例においては、入力エリア２００は、破線によって限定されており、例えば、スクリーンセーバーＳＣＳ及び／又はキーパッドロックＫＰＬが有効である場合にも、エリア２００に実行された入力が検出される。入力エリア２００への接触入力を画面ＳＣ内の接触感知要素によって検出し、適切な電子フォーマットに変換すると共に、画面ＳＣ上に表示可能である。非アクティブ動作モードにおける入力用の入力エリア２００は、エリア２００内に存在している入力検出要素のみが有効であると共に／又は、これらの要素からの入力のみが有効な入力として受け付けられるように構成可能である。この例におけるスクリーンセーバーＳＣＳは、起動されると、時間を示すブロック２０１を表示するのみであり、このブロック２０１は、画面ＳＣ上においてその位置を変化させるように構成されている。一実施例においては、ブロック２０１などのスクリーンセーバーオブジェクトの移動は、そのオブジェクトが入力エリア２００内に出現しないように構成されている。但し、入力エリア２００によって画面エリア全体をカバー可能であることに留意されたい。このような場合には、スクリーンセーバーオブジェクトは、入力エリアの内を移動可能であろう。又、複数の入力エリア２００を設けることも可能である。
【００１９】
図２の例においては、ユーザーは、スタイラスにより、入力エリア２００にメモをとっている。入力エリア２００に対するスタイラスの接触点の検出に基づいて、入力エリア２００は、スタイラスの移動を表示するべくリフレッシュされている。従って、ユーザーは、直接画面ＳＣに対して非常に迅速にメモをとることができる。ユーザーがとったメモは、以下の実施例に示されているように、保存すると共に、更に処理可能である。
【００２０】
代替実施例においては、カーソルを画面（ＳＣ）上に配置している。この場合には、装置ＥＤは、カーソルの移動の検出に基づいて入力エリア２００内における入力を判定するべく構成されている。カーソルは、従来のキーパッドＫＰ、或いは、例えば、トラックボールなどの特定の制御手段によって制御可能である。
【００２１】
更に別の実施例によれば、非アクティブモードにおける入力を従来のキーパッド（ＫＰ）によって受信している。デフォルトとして入力エリア２００をキーパッド入力に使用することも可能であり、あるいは、例えば、特定のキーの打鍵又はカーソルによるポジショニングにより、入力エリア２００を選択することも可能であろう。即ち、本発明は、タッチスクリーンを具備していない装置に適用することも可能である。
【００２２】
いくつかの実施例によれば、入力を（入力エリア２００又は非アクティブモードにおいて設けられるその他の入力手段に）入力してデータ処理装置ＥＤ内における入力エリア２００の確立を起動すると共に／又は、非アクティブモードにある際に入力を適切な入力として検出するべく、ユーザーに対して既定の起動入力を要求可能である。この実施例は、前述の入力法のいくつか又はすべてと共に適用可能である。この入力は、例えば、入力エリアにメモをとる際に同時にキーを押下することであってよかろう。即ち、特定のキーが同時に押下された場合に、入力を実行可能である。代替実施例においては、スクリーンセーバーモードにおいて入力を実行できるようにするべく、特定のキーの組み合わせを押下しなければならない。別の実施例においては、データ処理装置ＥＤのスタイラス保持／固定手段が、スタイラスの取り外しを検知するセンサを具備している。スタイラスの取り外し動作が起動入力として検出されるように、センサをこの機能に接続可能である。例えば、スタイラスが保持位置から取り外された後に、入力エリア２００が自動的に確立されることになる。その他の実施例においては、必要な起動入力は、特定の位置における（カーソルを移動させる）トラックボールの押下、あるいは、更なるキーの押下であってよかろう。これらの実施例によれば、望ましくないキーの打鍵又はその他の種類の入力法によって発生する不必要な入力を回避又は低減可能である。結果的に、容易に発生する望ましくないキーパッド入力を回避又は少なくとも低減可能であるため、既定の起動入力の適用は、キーパッド入力との組み合わせにおいて特に有用である。
【００２３】
図３は、一実施例による方法を示している。本方法は、データ処理装置ＥＤによって実装されるものであり、一実施例においては、図３の各段階は、スクリーンセーバーＳＣＳ機能によって制御されている。段階３０１において、スクリーンセーバー（ＳＣＳ）をスクリーンセーバー起動トリガに基づいて起動しているが、このトリガは、ユーザーからの最後の入力の後の既定のアイドル期間であってよかろう。段階３０２において、画面（ＳＣ）上に入力エリア（２００）を設けている。段階３０３、３０４において、ユーザーからの入力を受信するべくデータ処理装置ＥＤを構成している。本プロセスは、入力が受信されたかどうかを能動的に継続してチェックすることも可能であり（３０３、３０４）、あるいは、入力が、タッチスクリーン手段などの入力検出手段から受信された際に受動的に動作することも可能である（段階３０５に進む）。
【００２４】
入力が受信された際には、その入力が、スクリーンセーバー（ＳＣＳ）を無効にするためのものであるかどうかを判定する（３０５）。これが真である場合には、スクリーンセーバーを無効にし（３０６）、現在のスクリーンセーバーモードのプロセスを終了してよい。一実施例においては、スクリーンセーバーを無効にするためのトリガとして、特定のキー又はキーの組み合わせを予め定義している。この結果、本装置は、段階３０５において、ユーザーからの入力が、このトリガにマッチングしているかどうかをチェックするべく構成されている。本装置は、入力がトリガにマッチングしている場合に、スクリーンセーバーを無効にすると共に、入力エリア（２００）を除去するべく構成されている。
【００２５】
入力がスクリーンセーバーを無効にするためのものではない場合には、本装置は、入力を表すデータを保存すると共に／又は、入力を表示するべく（３０７）、構成されている。後程説明するように、入力を表示する段階の代わりに（又は、これに加えて）、入力に対してその他のアクションを実行することも可能であることに留意されたい。段階３０７の後に、本プロセスは、段階３０３に戻り、新しい入力を検出可能である。
【００２６】
図４は、別の実施例による方法を示すフローチャートである。図４の方法は、キーパッドロック（ＫＰＬ）が起動された際に（４０１）、ユーザーからの入力に基づいて又は自動的に適用可能である。図３に示されているものと同様に、入力エリアを設け（４０２）、入力を監視している（４０３）。入力がキーパッドロックを解除するためのものである場合には、キーパッドロックを解除する（４０５）。さもなければ、入力を保存すると共に／又は、ユーザーに対して表示可能である（４０７）。
【００２７】
前述のように、キーパッドロック（ＫＰＬ）用の実施例においては、既定の起動入力を要求することも可能である。一実施例においては、入力を入力してデータ処理装置ＥＤ内における入力エリア２００の確立を起動すると共に／又は、入力を適切な入力として検出するには、入力の際に特定のキーを押下する必要がある。別の実施例においては、入力エリア２００を確立するには、画面ＳＣ上の特定の起動エリアを選択する必要がある（例えば、小さなアイコンにスタイラスペンによって接触する必要がある）。又、入力エリア２００の起動後に入力を供給するための時間を制限することも可能である。
【００２８】
図３及び図４の方法を同時に利用することも可能であることに留意されたい。例えば、キーパッドロック又はスクリーンセーバーモードのいずれかが設定された際には、入力エリアを設けるが、もう１つのものが後から起動された場合には、もう１つの入力エリアは、不要である。尚、図３及び図４の方法は、本発明の機能を実現するいくつかの例に過ぎない。例えば、代替方法においては、入力エリア（２００）に対する入力のみを監視しており、スクリーンセーバーの無効化及び／又はキーパッドロックの解除入力の検出は、スクリーンセーバー（ＳＣＳ）によって実行される別個のプロセスになっている。従って、入力エリア内における入力の検出は、スクリーンセーバーＳＣＳ以外のなんらかのエンティティによって実行可能である。
【００２９】
前述のように、非アクティブモードにおける入力を、入力エリア（２００）の代わりに、なんらかのその他の入力方法によって実現することも可能である。例えば、入力エリア２００を伴わない音声認識又はタッチスクリーン／キーパッドによる入力を使用可能であろう。
【００３０】
代替実施例においては、入力エリア（２００）を自動的に又はユーザー入力に基づいて除去している。これは、段階３０７／４０７の後に（或いは、例えば、入力エリア２００の起動の後に既定の期間が経過した際に）実行可能である。又、非アクティブ動作モードを更に継続できるように、この機能を提供することも可能である。一実施例においては、入力エリア（２００）を除去すると共に、入力を行うことのない基本のスクリーンセーバーモードに復帰するための選択可能なアイコン又は別のタイプの入力手段をデータ処理装置ＥＤ内に設けている。この結果、適切な入力が生成及び／又は保存された後の入力エリアに対する望ましくない入力を更に回避可能である。又、前述のように、入力エリア２００の確立を起動するための既定のキーの組み合わせ又はユーザーからのその他の特定の入力に基づいて入力エリア２００を設けることも可能である。この結果、ユーザーからの適切な入力の後に、段階３０２に再度進むことができる。更なる代替実施例においては、段階３０７／４０７の後に、スクリーンセーバーの無効化及び／又はキーパッドロックの解除をも実行している。
【００３１】
以下、いくつかの実施例について説明するが、これらの特徴は、図３の段階３０７の代わりに（又は、これに加えて）実装可能である。
【００３２】
一実施例によれば、データ処理装置ＥＤは、入力に関する１つ又は複数の更なるアクションをユーザーに対して要求するべく構成されている。この機能は、例えば、入力を検出した直後、あるいは、（段階３０６／４０６の後に）非アクティブ動作モードから離脱した後に、実行可能である。第１のケースにおいては、ユーザーからの入力を受信すると共に、１つ又は複数の更なるアクションの実行が完了した後に、非アクティブ動作モードを継続可能である。例えば、入力の保存を確認すると共に、入力用の保存位置及びファイル名を選択するように、ユーザーに対して要求可能である。このために、ファイルフォルタビューをユーザーに対して表示可能である。この結果、受信したユーザー入力に従って入力を保存する（あるいは、ユーザーの入力が、保存しないことを指示している場合には、保存しない）。尚、入力は、段階３０７又は４０７において一時的に保存可能であるが、スクリーンセーバーが無効になるか（３０６）、或いは、キーパッドロックが解除された際に（４０６）、入力の最終的な保存のために、ユーザーに対して要求可能であることに留意されたい。
【００３３】
一実施例においては、入力用のアプリケーション及び／又はファイルフォーマットを選択するように、ユーザーに要求している。次いで、ユーザーからの入力に従ってアプリケーション及び／又はファイルタイプ／フォーマットを入力用に選択する。例えば、ユーザーは、入力が、カレンダー入力、メモ、又は警報であると判定可能である。この結果、選択されたフォーマットに従って入力を保存可能である。従って、スクリーンセーバーモードの無効化の直後又はスクリーンセーバーモードにおいて（例えば、段階３０７において）必ずしもアプリケーションを起動することなしに、入力のフォーマットを定義可能である。
【００３４】
一実施例によれば、データ処理装置ＥＤは、非アクティブモードの入力が提出されるアプリケーション（ＡＰＰ）を起動するべく構成されている。起動対象のアプリケーションは、前述のようにユーザー入力に基づいて（又は、入力の１つ又は複数の特性に基づいて自動的に）選択可能である。次いで、このアプリケーションが、その入力を表すデータを適宜処理可能である（例えば、そのデータを（恐らくは、アプリケーション固有のビユーにおいて）表示し、保存すると共に／又は、アプリケーション固有の方法によって更に処理する）。一実施例においては、アプリケーションは、スクリーンセーバーモードが無効になった後に（３０６）及び／又は、キーパッドロックが解除された後に（４０６）、起動されており、この結果、データ処理装置ＥＤが積極的に使用されていない際のデータ処理装置ＥＤのリソースの使用を極小化することができる。次いで、積極的な使用モードが開始された際に、この入力を表示可能であり、この結果、ユーザーは、例えば、自分のメモに戻り、それらを更に処理可能である。入力用のアプリケーションを起動する前には、ユーザーに対して確認を要求可能である。
【００３５】
更なる実施例においては、装置ＥＤは、非アクティブモードにおいて受信した入力のタイプを判定するべく構成されている。装置ＥＤは、検出された入力のタイプ又はフォーマットに基づいて、入力を処理する適切なアプリケーション（ＡＰＰ）を選択するべく構成されている。本装置は、選択されたアプリケーションを起動すると共に／又は、入力を表すデータを選択されたアプリケーションに対して提出するべく、構成可能である。この実施例においては、入力を複数のアプリケーション（ＡＰＰ）に送付可能であり、アプリケーションを選択するためのユーザー入力を伴うことなしに、適切なアプリケーションを自動的に起動可能である。別の実施例によれば、入力のタイプ又はフォーマットの判定結果に基づいて、（例えば、段階３０７／４０７において）保存フォーマットを定義可能である。
【００３６】
一実施例によれば、入力エリア２００は、アプリケーション固有のビューである。入力エリアは、ワープロアプリケーション、電話帳又はその他のコンタクト管理アプリケーション、ノートパッドアプリケーション、カレンダーアプリケーション、メッセージングアプリケーション、描画アプリケーション、又はスプレッドシートアプリケーションというアプリケーションの中の少なくとも１つのもの用のデータを入力するべく構成可能である。個々のアプリケーションは、スクリーンセーバーモードにある際に、入力エリア内への入力に応答して起動し、能動的に実行可能であり、或いは、入力をバッファ処理し、アプリケーションが後から起動された際に（例えば、スクリーンセーバーが無効になった際に）、そのアプリケーションに提出することも可能である。装置ＥＤは、入力エリア２００を用いないなんらかの代替入力法によって前述のアプリケーションの中の少なくとも１つのもの用の入力を受信するべく構成することも可能である。
【００３７】
別の実施例によれば、装置ＥＤは、テキスト認識アプリケーションを有しており、テキスト認識アプリケーションに入力を提出することにより、入力を表すテキストデータを判定するべく構成されている。従って、この実施例によれば、非アクティブモードにおけるフリーフォーム入力をテキスト処理アプリケーション用の完全なテキストに変換可能である。更には、この後に、この認識されたテキストを（場合によっては自動的に）アプリケーションビュー内に表示し、テキスト文書として保存することも可能である。代替実施例においては、検出されたテキストフォーマットに基づいて、データ処理装置の機能の中の１つ又は複数のものを制御するためのユーザーからの命分を実行可能である。例えば、「ＳＴＯＲＥ」命令を表す入力が検出された場合に、本装置は、検出された保存命令と関連付けられている入力エリア内の入力の保存を起動する。
【００３８】
更に別の実施例によれば、入力をネットワーク要素などの少なくとも１つの外部装置に提出している。即ち、入力を電子装置ＥＤの送信機を使用して伝送可能である。例えば、入力を近距離データ伝送法によって１つ又は複数のローカル装置に対して提出可能である。あるいは、この代わりに、３ＧＰＰシステムに準拠したものなどのモバイルネットワークに伝送するべく、入力用の適切なメッセージを形成することも可能である。例えば、ショートメッセージサービスに送信されるショートメッセージ内に入力を包含可能である。
【００３９】
更なる実施例においては、入力に対するなんらかの更なるアクションを実行するネットワーク要素に対して入力を提出している。この結果、この入力をネットワーク内に保存すると共に／又は、ネットワークによるなんらかのサービスのために使用可能である。
【００４０】
一実施例においては、データ処理装置は、モバイルＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅ）用のクライアントを有している。入力をこのクライアントに提出可能であり、この結果、このクライアントが、ＩＭＰＳサーバーに対するＩＭＰＳ固有メッセージにより、この入力の伝送を実行する。いくつかの代替ソリューションにおいては、入力エリア２００は、ＩＭＰＳに対して入力を入力するためのものである（または、既定の起動入力に基づいて、ＥＤ内において、ＩＭＰＳアプリケーションが起動される）。ＩＭＰＳサーバーは、この入力をデータ処理装置の情報に保存し、恐らくは、この情報を（データ処理装置ＥＤのＩＭＰＳ情報を受信するべく認可されている）その他のＩＭＰＳクライアントに対してプレゼンス情報又はインスタントメッセージとして提出可能である。１つの可能なＩＭＰＳソリューションに関する更なる情報をＯＭＡ（Ｏｐｅｎ  Ｍｏｂｉｌｅ  Ａｌｌｉａｎｃｅ）のＷＷＷサイト（ｗｗｗ．ｏｐｅｎｍｏｂｉｌｅａｌｌｉａｎｃｅ．ｏｒｇ）において入手可能である。尚、プレゼンス又はインスタントメッセージアプリケーションの両方ではなく、このいずれかのみをサポートするように、ＥＤを構成することも可能であることに留意されたい。この実施例によれば、データ処理装置ＥＤのユーザーは、装置ＥＤが非アクティブモードにある際にも、関係者用の個人的なプレゼンス情報を容易に指定可能である。例えば、キーパッドロックが有効である際にも、ユーザーは、「Ｉｎ  ｍｅｅｔｉｎｇ」という用語を迅速に入力し、このメッセージのＩＭＰＳシステムに対する伝送を起動可能であり、この結果、この情報がユーザーの友人に自動的に配布されることになる。別の例においては、スクリーンセーバーＳＣＳがＥＤ内において起動されている場合にも、ユーザーは、ＥＤのユーザーインターフェイスを介して別の状態を選択することにより、ＩＭＰＳシステム内におけるユーザーの状態を容易に変更可能であろう。
【００４１】
以上の実施例は、様々な方法によって組み合わせることが可能であることを理解されたい。当業者には、技術に進歩に伴い、本発明の基本的な概念を多数の異なる方法によって実装可能であることが明らかである。従って、本発明及びその実施例は、前述の例に限定されるものではなく、添付の請求項の範囲内において変化可能である。従って、様々な特徴を省略、変更、或いは、等価物によって置換可能である。
【図面の簡単な説明】
【００４２】
【図１】一実施例による携帯型電子装置のいくつかの部分を示すブロックダイアグラムである。
【図２】一実施例による画面ビューを示している。
【図３】一実施例による方法を示すフローチャートである。
【図４】別の実施例による方法を示すフローチャートである。
【図１】
2008515039.tif 000003
【図２】
2008515039.tif 000004
【図３】
2008515039.tif 000005
【図４】
2008515039.tif 000006
【国際調査報告】
2008515039.tif 000007
2008515039.tif 000008
2008515039.tif 000009
2008515039.tif 000010